【事件の表示】
　特願２００４−３２２５１０「ゴルフクラブヘッド及びその製造方法」拒絶査定不服審判事件〔平成１８年　５月２５日出願公開、特開２００６−１３００６５〕について、次のとおり審決する。
【結　論】
　本件審判の請求は、成り立たない。
【理　由】
第１　手続の経緯  
　本願は、平成１６年１１月５日の出願であって、平成２１年１２月２１日付け拒絶理由通知に対して、平成２２年３月３日に手続補正がなされたが、同年４月２２日付けで拒絶査定がなされ、これに対し、同年５月２１日に拒絶査定不服審判が請求されると同時に手続補正がなされたものである。  　
　さらに、当審において、平成２２年１０月４日付けで審査官により作成された前置報告書の内容について、同年１２月１日付けで審尋を行ったところ、審判請求人は平成２３年１月１４日に回答書を提出した。  
　その後、当審において、平成２３年２月１日付けで拒絶の理由を通知したところ、同年３月１６日に手続補正がなされたものである。 
　　　　  
第２　本願発明　  
　本願の請求項１ないし１２に係る発明は、平成２３年３月１６日になされた手続補正により補正された請求項１ないし１２に記載された事項により特定されるとおりのものであり、その請求項１に係る発明（以下「本願発明」という。）は、以下のとおりのものである。  
　　　　　　　  
「【請求項１】
　フェース部、ソール部、サイド部、クラウン部及びホゼル部を有する中空のゴルフクラブヘッドにおいて、
　該
クラウン部の主要部が繊維強化樹脂製
　少なくともフェース部と、該フェース部に連なる、クラウン部の前縁部と、ソール部の少なくとも
トウ・ヒール方向の中央部とが金属製
　ロフト角が１４〜２５°であり、
　ヘッド体積が１００〜２３０ｃｃであり、
　該繊維強化樹脂製部分の重量がゴルフクラブヘッドの重量の６〜３０％であるゴルフクラブヘッドであって、
　該繊維強化樹脂部分は、複数のプリプレグシートを積層し、この積層の途中で該複数のプリプレグシートの間にウェイト材を挟み込み、該プリプレグシートの樹脂を加熱し、硬化させてなるものであり、
　該ウェイト材は、高比重金属の粉末を含有した熱可塑性樹脂よりなり、
　該
複数のプリプレグシートは、直交２方向に繊維を配向させた第１のプリプレグシートと、一方向に繊維を配向させた複数の第２のプリプレグシートとからなっており、
　
該第１のプリプレグシートは該繊維強化樹脂部分の全外面を覆う位置に配置されており、
　
該複数の第２のプリプレグシートは繊維方向が交互となるように積層されている
　　  
第３　刊行物の記載事項  
１　当審の拒絶の理由で引用した本願出願前に頒布された刊行物である特開２００４−１６６５４号公報（以下「引用文献１」という。）には、図とともに以下の事項が記載されている。  
　　　　  
（１）「【特許請求の範囲】
【請求項１】
フェース部、ソール部、サイド部、クラウン部及びホゼル部を有する中空のゴルフクラブヘッドにおいて、
　
該クラウン部の主要部が繊維強化樹脂製であり、少なくともフェース部と、該フェース部に連なるクラウン部の前縁部とが金属製
該クラウン部の繊維強化樹脂製部分が該クラウン部の金属製の前縁部の後端面及び内面に接合されていることを特徴とするゴルフクラブヘッド。
【請求項２】
請求項１において、前記サイド部の前縁部と前記ソール部の前縁部とが前記フェース部に連なる金属製であり、
該
ソール部のトウ・ヒール方向の中央部
金属製であり、
                　
（２）「【０００４】
中空ゴルフクラブヘッドの体積を大きくすることにより、スイートスポットを拡大することが可能となる
　
（３）「【００１２】
このゴルフクラブヘッド１は、フェース部２、ソール部３、サイド部４、クラウン部５及びホゼル部６を有した
中空ウッド型ゴルフクラブヘッド
ゴルフクラブヘッド１は金属体１０と繊維強化樹脂体（以下、ＦＲＰ体という。）２０とからなる
【００１３】
金属体１０は、フェース部２と、金属ソール部１３と、金属サイド部（トウ）１４と、金属クラウン部１５と、金属サイド部（ヒール）１６と、金属バック部１７と、該金属バック部１７に設けられた環状部１８と、ホゼル部６とを有する
　　                      　
（４）「【００１９】
ＦＲＰ体２０は、このゴルフクラブヘッド１の外面のその他の部分を構成している。即ち、
ＦＲＰ体２０は、クラウン部５の後半部と、サイド部４の後半部（ただし、金属バック部を除く。）と、ソール部３の金属ソール部１３以外の部分を構成している
【００２０】
第６図に拡大して示されるように、ＦＲＰ体２０は、金属クラウン部１５、金属サイド部１４（トウ、ヒール双方）及び金属ソール部１３の端面に密着すると共に、これらの端縁の内面にも重なって密着している。特に、金属クラウン部１５にあっては、第６図（ｂ）の通りＦＲＰ体２０はフェース部２の裏面に達している。即ち、金属クラウン部１５の内面の全体に対しＦＲＰ体２０が重なって密着している。
【００２１】
このＦＲＰ体２０を成形し且つ金属体１０と一体化するには、必要に応じ
金属体１０の内面にプライマー処理を施した金属体１０をゴルフクラブヘッドの外形形状を有した金型内に配置する
この金型の内面及び金属体１０の端縁内面に沿ってプリプレグシートの積層物（未硬化の樹脂繊維複合材料シート）を配材する
内部にガス圧を加えた状態で加熱し、樹脂を硬化させる
【００２２】                    　
これにより、第６図のようにＦＲＰ体２０が成形されると共に、ＦＲＰ体２０の周縁部２１が金属体１０の端面及び端縁部に密着する。
成形終了後、脱型し、必要に応じゴルフクラブヘッドの内面に振動吸収層や打球音調整層を形成する
【００２３】
金属バック部１７の開口には、
栓状体
【００２４】
この栓状体としては、ゴルフクラブヘッドの重心深度を深くするために、タングステンなど高比重材よりなるものが好ましい
    　
（５）「【００３８】
ＦＲＰ体２０を成形するためのプリプレグとしては、クロス繊維プリプレグ、一方向繊維プリプレグ等のいずれでもよい
【００３９】
プリプレグは３〜８枚程度積層して用いる
        　　　 
（６）上記（２）の「中空ゴルフクラブヘッドの体積を大きくすることにより、スイートスポットを拡大することが可能となる。」との記載及び図６より、上記（１）の「中空のゴルフクラブヘッド」が、所定のロフト角及び所定のヘッド体積を備えていることは、明らかである。
　　　
（７）上記のことから、引用文献１には次の発明が記載されている（以下「引用発明１」という。）と認められる。  
　　　  
「フェース部、ソール部、サイド部、クラウン部及びホゼル部を有する中空のゴルフクラブヘッドにおいて、 
　クラウン部の主要部が繊維強化樹脂製の
ＦＲＰ体
　少なくともフェース部と、フェース部に連なるクラウン部の前縁部と、ソール部のトウ・ヒール方向の中央部とが金属製の
金属体
　所定のロフト角及び所定のヘッド体積を備えた、ゴルフクラブヘッドであって、 
　金属体の内面にプライマー処理を施した金属体をゴルフクラブヘッドの外形形状を有した金型内に配置し、この金型の内面及び金属体の端縁内面に沿ってプリプレグシートの積層物を配材し、その後、内部にガス圧を加えた状態で加熱し、樹脂を硬化させ、成形終了後、脱型し、ゴルフクラブヘッドの内面に振動吸収層や打球音調整層を形成したものであり、
　ＦＲＰ体を成形するためのプリプレグとしては、クロス繊維プリプレグ、
一方向繊維プリプレグ等のいずれでもよく
　プリプレグは
３ないし８枚程度積層
　さらに、ゴルフクラブヘッドの重心深度を深くするために、タングステンなどの高比重材を備えた、ゴルフクラブヘッド。」　 　　  
　　
２　当審の拒絶の理由で引用した本願出願前に頒布された刊行物である特開２００３−１９９８４８号公報（以下「引用文献２」という。）には、図とともに以下の事項が記載されている。  
（１）「【特許請求の範囲】
【請求項１】  
中空構造を有するゴルフクラブヘッドにおいて、ネック部、フェース部、ソール部、クラウン部及びサイド部の少なくとも１ヵ所に、ヘッド全体での質量比率が４％以上となる繊維強化プラスチックを使用し、残部を金属から構成した
　 
（２）「【０００５】
【発明が解決しようとする課題】本発明の目的は、異種素材を複合することで、
振動減衰性と心地よい打音の両方を兼ね備える
【０００６】
【課題を解決するための手段】上記目的を達成するための本発明のゴルフクラブヘッドは、中空構造を有するゴルフクラブヘッドにおいて、ネック部、フェース部、ソール部、クラウン部及びサイド部の少なくとも１ヵ所に、
ヘッド全体での質量比率が４％以上となる繊維強化プラスチックを使用し、残部を金属から構成した
【０００７】このように中空構造を有するゴルフクラブヘッドにおいて、ネック部、フェース部、ソール部、クラウン部及びサイド部の少なくとも１ヵ所に上記質量比率の繊維強化プラスチックを使用し、残部を金属から構成することにより、振動減衰性と心地よい打音の両方を兼ね備えたゴルフクラブヘッドを構成することができる。
【０００８】本発明では、中空構造の外殻に金属のみで構成される部分と繊維強化プラスチックのみで構成される部分とを混在させた場合、
更にはクラウン部に繊維強化プラスチックを使用した場合に、より顕著な作用効果が得られる
    　
（３）「【００１１】このようにネック部１、フェース部２、ソール部３、クラウン部４及びサイド部５の少なくとも１ヵ所に繊維強化プラスチックを使用し、残部を金属から構成することにより、振動減衰性と心地よい打音の両方を兼ね備えたゴルフクラブヘッドを構成することができる。但し、上記繊維強化プラスチックの
質量比率〔（ＦＲＰ質量／ヘッド全体の質量）×１００〕は４％以上とすることが必要である。この繊維強化プラスチックの質量比率が４％未満であると振動減衰性と打音の改善効果が十分に得られない。なお、繊維強化プラスチックの質量比率の上限は４８％にすることが好ましい
　
（４）上記のことから、引用文献２には次の発明が記載されている（以下「引用発明２」という。）と認められる。  　
         　　
「中空構造を有するゴルフクラブヘッドであって、
　ネック部、フェース部、ソール部、クラウン部及びサイド部の少なくとも１ヵ所に繊維強化プラスチックを使用し、残部を金属から構成することにより、振動減衰性と心地よい打音の両方を兼ね備えたゴルフクラブヘッドにおいて、
　繊維強化プラスチックのヘッド全体での質量比率を４％以上、上限を４８％とした、ゴルフクラブヘッド。」  　
　　　
第４　対比・判断　　  
１　対比　
　本願発明と引用発明１とを対比する。 　  
（１）引用発明１の「フェース部、ソール部、サイド部、クラウン部及びホゼル部」は本願発明の「フェース部、ソール部、サイド部、クラウン部及びホゼル部」に相当し、同様に、  
「中空のゴルフクラブヘッド」は「中空のゴルフクラブヘッド」に、
「クラウン部の主要部」は「クラウン部の主要部」に、
「繊維強化樹脂製」は「繊維強化樹脂製」に、
「少なくともフェース部と、フェース部に連なるクラウン部の前縁部と、ソール部のトウ・ヒール方向の中央部」は「少なくともフェース部と、該フェース部に連なる、クラウン部の前縁部と、ソール部の少なくともトウ・ヒール方向の中央部」に、
「金属製」は「金属製」に、それぞれ、相当する。
　
（２）上記（１）より、
引用発明１の
　クラウン部の主要部が繊維強化樹脂製の
ＦＲＰ体
　少なくともフェース部と、フェース部に連なるクラウン部の前縁部と、ソール部のトウ・ヒール方向の中央部とが金属製の
金属体
　所定のロフト角及び所定のヘッド体積を備えた、ゴルフクラブヘッド」と、
　
本願発明の
　該クラウン部の主要部が繊維強化樹脂製であり、
　少なくともフェース部と、該フェース部に連なる、クラウン部の前縁部と、ソール部の少なくともトウ・ヒール方向の中央部とが金属製であり、
　ロフト角が１４〜２５°であり、
　ヘッド体積が１００〜２３０ｃｃであり、
　該繊維強化樹脂製部分の重量がゴルフクラブヘッドの重量の６〜３０％であるゴルフクラブヘッド」とは、
「フェース部、ソール部、サイド部、クラウン部及びホゼル部を有する中空のゴルフクラブヘッドにおいて、
　該クラウン部の主要部が繊維強化樹脂製であり、
　少なくともフェース部と、該フェース部に連なる、クラウン部の前縁部と、ソール部の少なくともトウ・ヒール方向の中央部とが金属製であり、
　ロフト角が
所定角
　ヘッド体積が
所定量
　該繊維強化樹脂製部分の重量がゴルフクラブヘッドの重量の
所定割合
  　
（３）引用発明１の「プリプレグシート」は本願発明の「プリプレグシート」に相当し、同様に、
「一方向繊維プリプレグ」は「『一方向に繊維を配向させた』『プリプレグ』」に、
「タングステンなどの高比重材」は「ウェイト材」及び「高比重金属」に、それぞれ、相当する。
　
（４）上記（３）より、
引用発明１の
　ＦＲＰ体を成形するためのプリプレグとしては、クロス繊維プリプレグ、一方向繊維プリプレグ等のいずれでもよく、
　プリプレグは３ないし８枚程度積層して用いられ、
　さらに、ゴルフクラブヘッドの重心深度を深くするために、タングステンなどの高比重材を備えた」と、
　
本願発明の
　該ウェイト材は、高比重金属の粉末を含有した熱可塑性樹脂よりなり、
　該複数のプリプレグシートは、直交２方向に繊維を配向させた第１のプリプレグシートと、一方向に繊維を配向させた複数の第２のプリプレグシートとからなっており、　
　該第１のプリプレグシートは該繊維強化樹脂部分の全外面を覆う位置に配置されており、
　該複数の第２のプリプレグシートは繊維方向が交互となるように積層されている」とは、
「該繊維強化樹脂部分は、複数のプリプレグシートを積層し、該プリプレグシートの樹脂を加熱し、硬化させてなるものであり、
　ウェイト材は、高比重金属よりなる」という点で共通する。
　
（５）してみると、本願発明と引用発明１とは、以下の点で一致する。  
　＜一致点＞  
　「フェース部、ソール部、サイド部、クラウン部及びホゼル部を有する中空のゴルフクラブヘッドにおいて、
　該クラウン部の主要部が繊維強化樹脂製であり、
　少なくともフェース部と、該フェース部に連なる、クラウン部の前縁部と、ソール部の少なくともトウ・ヒール方向の中央部とが金属製であり、
　ロフト角が
所定角
　ヘッド体積が
所定量
　該繊維強化樹脂製部分の重量がゴルフクラブヘッドの重量の
所定割合
　
該繊維強化樹脂部分は、複数のプリプレグシートを積層し、該プリプレグシートの樹脂を加熱し、硬化させてなるものであり、
　
ウェイト材は、高比重金属よりなる
　　
（６）一方で、本願発明と引用発明１とは、以下の点で相違する。  
　＜相違点１＞  
　ロフト角及びヘッド体積に関し
　本願発明が「ロフト角が１４〜２５°であり、
　ヘッド体積が１００〜２３０ｃｃであり」と特定されるものであるのに対して、引用発明１は上記特定を有していない点。  
　  
　＜相違点２＞
　所定割合に関し
　本願発明が「該繊維強化樹脂製部分の重量がゴルフクラブヘッドの重量の６〜３０％である」と特定されるものであるのに対して、引用発明１は上記特定を有していない点。 　 
　                   　  　
　＜相違点３＞
　ウェイト材に関し
　本願発明では「この積層の途中で該複数のプリプレグシートの間にウェイト材を挟み込み、該プリプレグシートの樹脂を加熱し、硬化させてなるものであり、
　該ウェイト材は、高比重金属の粉末を含有した熱可塑性樹脂よりなり」と特定されるものであるのに対して、引用発明１は上記特定を有していない点。 　           　
              　
　＜相違点４＞
　プリプレグシートに関し
  本願発明では「該複数のプリプレグシートは、直交２方向に繊維を配向させた第１のプリプレグシートと、一方向に繊維を配向させた複数の第２のプリプレグシートとからなっており、　
　該第１のプリプレグシートは該繊維強化樹脂部分の全外面を覆う位置に配置されており、
　該複数の第２のプリプレグシートは繊維方向が交互となるように積層されている」と特定されるものであるのに対して、引用発明１は上記特定を有していない点。
　　　　　　
２　判断  
（１）上記＜相違点１＞について検討する。  
　ア　ロフト角を「１５ないし２４°程度」とし、ヘッド体積を「１００ないし１７０ｃｃ程度」とした中空のゴルフクラブヘッドは、本願出願前に周知である（例えば、特開２００４−４１７０７号公報の【００２８】、特開２００３−７０９３８号公報の【００３８】の表１、特開２００２−２３９０３６号公報の【００３５】の表２を参照。以下「周知技術１」という。）。    　
    　
　イ　してみれば、引用発明１の「中空のゴルフクラブヘッド」のロフト角を「２０°程度」とし、ヘッド体積を「１３０ｃｃ程度」とすることは、当業者が上記周知技術１に基づいて適宜なし得たことである。     　
　　　
　ウ　上記イのようにした引用発明１の「ゴルフクラブヘッド」は「ロフト角が１４〜２５°であり、                    　
　ヘッド体積が１００〜２３０ｃｃであり」となる。     　
      　
　エ　以上のことから、引用発明１において、上記＜相違点１＞に係る本願発明の構成を採用することは、当業者が上記周知技術１に基づいて適宜なし得たことである。　　
　　　
（２）上記＜相違点２＞について検討する。
　ア　引用発明２は「中空構造を有するゴルフクラブヘッドであって、　
　ネック部、フェース部、ソール部、クラウン部及びサイド部の少なくとも１ヵ所に繊維強化プラスチックを使用し、残部を金属から構成することにより、振動減衰性と心地よい打音の両方を兼ね備えたゴルフクラブヘッドにおいて、
　繊維強化プラスチックのヘッド全体での質量比率を
４％以上、上限を４８％
　
　イ　引用発明１と引用発明２は、「繊維強化樹脂と金属から構成される、中空のゴルフクラブヘッド」という点で共通している。
　してみれば、引用発明１の「中空のゴルフクラブヘッド」を、振動減衰性と心地よい打音の両方を兼ね備えたものとするために、繊維強化樹脂のヘッド全体での質量比率を４％以上４８％以下の範囲の中心値である「２６％」とすることは、当業者が引用発明２に基づいて容易になし得たことである。
　
　ウ　上記イのようにした引用発明１の「所定割合」は「該繊維強化樹脂製部分の重量がゴルフクラブヘッドの重量の６〜３０％である」ということになる。          　
　
　エ　また、繊維強化樹脂の採用について、本願明細書には、以下の事項が記載されている。　
（ア）「【０００４】
  中空ゴルフクラブヘッドの体積を大きくすることにより、スイートスポットを拡大することが可能となる。
体積を大きくすることに伴うゴルフクラブヘッドの重量増加を防ぐために、ゴルフクラブヘッドの構成材として、上記金属よりもさらに比重が小さい繊維強化樹脂を採用することが考えられている
　
（イ）「【００５１】
　このゴルフクラブヘッド１にあっては、ロフト角は１４〜２５°好ましくは１５〜２１°、ヘッド体積は１００〜２３０ｃｃ好ましくは１１０〜２２０ｃｃである。
ＦＲＰ体３０の重量はゴルフクラブヘッド１の全体の重量の６〜３０％特に７〜２５％とりわけ１５〜２０％となるようにＦＲＰ体３０、金属体１０（ウェイト材２１，２２を含む）の重量を決定する
　   　
　上記記載からして、繊維強化樹脂製部分の重量割合は、ヘッドの重量増加を防ぐために、ヘッド全体の重量を勘案して適宜設定されるもので、本願発明の「６〜３０％」の数値には、臨界的な技術的意義は認められない。
　
　オ　以上のことから、引用発明１において、上記＜相違点２＞に係る本願発明の構成を採用することは、当業者が引用発明２に基づいて容易になし得たことである。　
　　　
（３）上記＜相違点３＞について検討する。　
　ア　中空のゴルフクラブヘッドにおいて、高比重金属を含有する熱可塑性樹脂を成形してなる「充填フィルム」をプリプレグシートの間に挟み込むことは、本願出願前に周知である（例えば、特開２００３−２５０９３７号公報の【００６２】ないし【００６４】、特開２００３−２４５３８１号公報の【００５５】ないし【００５７】、特開２００３−８８６０２号公報の【００２１】ないし【００２４】、特開平１１−１９７２７４号公報の【００２３】を参照。以下「周知技術２」という。）。 　
      　
　イ　してみれば、引用発明１において、上記周知技術２の「充填フィルム」をプリプレグシートの間に挟み込むことは、当業者が上記周知技術２に基づいて容易になし得たことである。     　
　 　
　ウ　上記イのようにした引用発明１のウェイト材は、「この積層の途中で該複数のプリプレグシートの間にウェイト材を挟み込み、該プリプレグシートの樹脂を加熱し、硬化させてなるものであり、
　該ウェイト材は、高比重金属の粉末を含有した熱可塑性樹脂よりなり」との構成を備えることになる。
  　
　エ　以上のことから、引用発明１において、上記＜相違点３＞に係る本願発明の構成を採用することは、当業者が上記周知技術２に基づいて容易になし得たことである。　
　　
（４）上記＜相違点４＞について検討する。
　ア　引用発明１は「ＦＲＰ体を成形するためのプリプレグとしては、クロス繊維プリプレグ、一方向繊維プリプレグ等のいずれでもよく、
　プリプレグは３ないし８枚程度積層して用いられ」るものである。　
　
　イ　また、一方向繊維プリプレグの繊維方向が交互となるように積層してクラブヘッドを作製することは、本願出願前に周知である（例えば、特開２００４−２４２９３８号公報の【００２９】、特開２００３−３２００６０号公報の【００２９】、特開平１１−１３７７３４号公報の【００１０】を参照。以下「周知技術３」という。）。     　
　
　ウ　また、繊維強化樹脂製の製品においては、表面の繊維模様が意匠として認識されることから、ゴルフクラブの表面にクロス材（織物材）を配置することも、本願出願前に周知である（例えば、特開平９−８７３５９号公報の【００３】、特開平７−１６３１７号公報の【００１２】、特開平６−３３９５５０号公報の【００１２】、実願平３−５２８８３号（実開平５−７２６０号）のＣＤ−ＲＯＭの【００１８】、【００１９】及び図２、実願昭６３−５７５３３号（実開平１−１５９８７５号）のマイクロフィルムの実用新案登録請求の範囲を参照。以下「周知技術４」という。）。  　
　
　エ　してみれば、引用発明１において、一方向繊維プリプレグを３ないし８枚程度積層する際に、繊維方向が交互となるように積層するとともに、ヘッド表面にクロス材であるクロス繊維プリプレグを配置することは、当業者が上記周知技術３及び周知技術４に基づいて適宜なし得たことである。  　
　
　オ　上記エのようにした引用発明１のプリプレグシートは、「該複数のプリプレグシートは、直交２方向に繊維を配向させた第１のプリプレグシートと、一方向に繊維を配向させた複数の第２のプリプレグシートとからなっており、　
　該第１のプリプレグシートは該繊維強化樹脂部分の全外面を覆う位置に配置されており、
　該複数の第２のプリプレグシートは繊維方向が交互となるように積層されている」との構成を備えたものとなる。  　
　
　カ　以上のことから、引用発明１において、上記＜相違点４＞に係る本願発明の構成を採用することは、当業者が上記周知技術３及び周知技術４に基づいて適宜なし得たことである。　
　　
（５）また、本願発明の効果も、引用発明１、引用発明２及び周知技術１ないし４の奏する効果から、当業者が予測し得たものである。   　
　　 　 　　 　  
第５　むすび  
　以上のとおり、本願発明は、当業者が引用文献１、２に記載された発明及び周知技術に基づいて容易に発明をすることができたものであるから、特許法第２９条第２項の規定により特許を受けることができない。  
　よって、結論のとおり審決する。